(57)【要約】【課題】  本発明の医療部材再生品は、例えば骨折に係る医療部材の装着を伴う治療経験を有する患者が、抜去した医療部材を加工したアクセサリーを身に付けることで、過度な負荷を伴う動作を避けることにより、再び骨折することを防止する医療部材再生品の提供を目的とする。【解決手段】  本発明の医療部材再生品は、患者の体内に一部又は全てが装着された後に前記患者の体内から抜去された医療部材を支持する支持部材を接続することを特徴とする。【選択図】  図９
2010063611.tif 000002
【特許請求の範囲】
【請求項１】
患者の体内に一部又は全てが装着された後に前記患者の体内から抜去された医療部材を支持する支持部材を接続した医療部材再生品。
【請求項２】
前記医療部材は、ねじ、髄内釘、プレート、ワッシャー、創外固定器、又は人工骨頭であることを特徴とする請求項１に記載の医療部材再生品。
【請求項３】
前記ねじは、海綿骨ねじ、又はボルトであることを特徴とする請求項２に記載の医療部材再生品。
【請求項４】
前記支持部材は、紐、鎖、リング、ネックレス、ブレスレット、又は固定台であることを特徴とする請求項１に記載の医療部材再生品。
【発明の詳細な説明】
【技術分野】
【０００１】
本発明は、骨折治療等に係る手術時に患者の体内に一時装着した医療部材を、患者の治癒状態に合わせて一定期間後に体内から抜去し、該医療部材に支持部材を接続した医療部材再生品に関する。
【背景技術】
【０００２】
従来、人が使用した物品を置物又はアクセサリー等に加工した記念品等や、故人等の骨を焼結等して加工した形見等がある。
【０００３】
上述した記念品等には、例えば、特許文献１に記載されているように、初めて履いた幼児靴や、帽子・手袋・靴下、更には故人のネクタイ等の身の回り用品や、名刺入れ・財布等、その材質が布や皮革製の思い出の個人用品を、使用していた当時のリアル感を保持し、透明ケース内に、当時の思い出の写真と一緒に飾り得る置物がある。
【０００４】
また、上述した形見等には、例えば、特許文献２に記載されているように、火葬した人の骨灰、または、火葬した愛玩動物の骨灰、若しくは、人体または愛玩動物体から離脱した前記人体の一部または前記愛玩動物体の一部と、ＳｉＯ２を主要な成分とする酸化物と、融点降下材と、を加えて混合物とし、この混合物を加熱して溶融した後、鋳型を用いて冷却し、人造石状態、または、該人造石状態とガラス状態の混合状態に凝固させて成形体としたものがある。
【０００５】
【特許文献１】特開２００５-２８８６２号公報
【特許文献２】特開２００４-１６７１３５号公報
【発明の開示】
【発明が解決しようとする課題】
【０００６】
しかしながら、前述の構成では、例えば骨折に係る医療部材の装着を伴う治療経験を有する患者本人が、過度な負荷を伴う動作を避けることにより、再度の骨折を防止する効果は無い。なお、一度骨折すると、骨折部での接合が不十分であったり、又は、高齢者のように転倒し易い場合には、同一箇所を再度骨折する事例も多く、複数回の骨折により患者に負担が掛かり、且つ、医療費も増大する。
【０００７】
そこで、本発明は前述の技術的な課題に鑑み、骨折に係る医療部材の装着を伴う治療経験を有する患者に対して、過度な負荷を伴う動作を避けることを促し、再び骨折することを防止する医療部材再生品の提供を目的とする。
【課題を解決するための手段】
【０００８】
前述の課題を解決すべく、本発明に係る医療部材再生品は、患者の体内に一部又は全てが装着された後に前記患者の体内から抜去された医療部材を支持する支持部材を接続することを特徴とする。
【発明の効果】
【０００９】
本発明に係る医療部材再生品によれば、抜去したインプラントである、ねじ、髄内釘、プレート、ワッシャー、創外固定器、又は人工骨頭を医療部材再生品に加工して、インプラントとして一時体内に装着していた患者本人が、アクセサリー等として身に付け、又は、置物として飾ることにより、例えば患者本人が再度骨折等しないよう、過度な負荷を伴う動作を避けることを促すことができる。また、治療してくれた医師や医療器械に対して感謝の念を持つアシストになる。
【００１０】
以下、本発明の医療部材再生品に係る好適な実施形態について図面を参照しながら説明する。なお、本発明の医療部材再生品は、以下の記述に限定されるものではなく、本発明の要旨を逸脱しない範囲において、適宜変更可能である。
【００１１】
［第１の実施形態］
医療部材であるインプラントの海綿骨ねじ２を加工することにより医療部材再生品にする形態について説明する。まず、骨折した海綿骨１に海綿骨ねじ２を装着している状態について説明する。図１に骨折した海綿骨１に海綿骨ねじ２を装着している状態の一例を模式図で示す。
【００１２】
図１に示した骨折の治療に係る構造について説明する。骨折部１Ａと骨折部１Ｂからなる２つに骨折した海綿骨１を骨折前の位置関係を担保した状態で保持するために、２個の海綿骨ねじ２が骨折部１Ｂを貫通して骨折部１Ａにねじ込み固定されている。この様な海綿骨ねじ２は、例えば外径４．０ｍｍ、全長２０ｍｍ、及びねじ長１０ｍｍからなり、ねじ先端部にのみ、ねじ山部２Ａを有する。また、この様な海綿骨ねじ２は、例えばチタン及びチタン合金等を用いて形成される。
【００１３】
次に、本発明に係るインプラントの海綿骨ねじ２を加工して医療部材再生品にする構造について説明する。図２に本発明に係る海綿骨ねじ２を加工して医療部材再生品にした一例の模式図を示す。
【００１４】
図１を参照しながら説明した海綿骨ねじ２のねじ山部２Ａ部を、旋盤等により加工して医療部材再生品にする。具体的には、例えば、海綿骨ねじ２のねじ頭部２Ｂを図示せぬ旋盤のチャックに固定した上で該チャックを所定の回転数で回転させた状態で、海綿骨ねじ２のねじ山部２Ａに図示せぬ旋盤のバイトを所定の圧力で当接させることにより、ねじ山部２Ａを削り取る。また、例えば、海綿骨ねじ２のねじ頭部２Ｂを図示せぬ研削盤のチャックに固定した状態で、海綿骨ねじ２のねじ山部２Ａに図示せぬ所定の回転数で回転させた円筒形状の研削砥石を所定の圧力で当接させることにより、ねじ山部２Ａの表面近傍を削る。なお、海綿骨ねじ２の円柱部には支持部材３１である、紐、鎖、リング、及び固定台等を接続する。また、上述した加工を海綿骨２に施すことにより、医療部材再生品にする海綿骨２が人の手などに触れて裂傷したり、又は、日常品等に接触して引っ掻き傷等が付かないようにする。
【００１５】
また、上述した加工を施した海綿骨ねじ２の表面に、所定の色彩を塗装したり、光沢又は反射防止を目的とした表面コート処理等を行っても良い。また、図１２に示す様に、加工を施した海綿骨ねじ２の円柱部に、インプラントに係る手術日、抜去日、患者の氏名、及び執刀医の氏名等を、刻印機又はレーザマーカ等で記録しても良い。加工した医療部材再生品である海綿骨ねじ加工品３は、図２に示す様に、例えば普段から身に付ける機会が多い自動車の鍵４等に支持部材３１を接続することによりアクセサリーとする。なお、実施形態においては、ねじ先端部にのみねじ山部２Ａを有する海綿骨ねじ２を用いて説明したが、ねじ全長にわたりねじ山を有するボルトであるスクリューに適用しても良い。
【００１６】
以上、第１の実施形態によれば、比較的小型で加工し易い抜去したインプラントである海綿骨ねじ２を海綿骨ねじ加工品３に加工して、インプラントとして一時体内に装着していた患者本人が、アクセサリー等として身に付け、又は、置物として飾る。このようなことにより、患者本人が再度骨折等しないよう、過度な負荷を伴う動作を避けることを促すことができる。また、治療してくれた医師や医療器械に対して感謝の念を持つアシストになる。また、医療廃棄物として廃棄されていたインプラントを再生して活用することができる。さらに、骨折の再発を防止することにより医療費を抑制することもできる。
【００１７】
［第２の実施形態］
次に、本発明の第２の実施形態に係る医療部材再生品について説明する。なお、本実施形態においては、医療部材再生品に髄内釘を用いることに特徴を有し、それ以外の医療部材再生品に係る構成は、第１の実施形態で述べた医療部材再生品の構成と同様である。
【００１８】
医療部材であるインプラントの髄内釘を加工することにより医療部材再生品にする形態について説明する。まず、骨折した大腿骨に髄内釘を装着している状態について説明する。図３乃至図５に骨折した大腿骨に髄内釘６を装着している状態の一例を模式図で示す。
【００１９】
まず、図３に示した骨折の治療に係る構造について説明する。骨折部５Ａと骨折部５Ｂからなる２つに骨折した大腿骨５を骨折前の位置関係を担保した状態で保持するために、大腿骨５内部に略弓状部から形成された髄内釘６が挿入されている。髄内釘６は大腿骨５内部の形状に合わせて湾曲しており、髄内釘６の端部６Ａ、端部６Ｂ、及び中央部６Ｃを大腿骨５内部に一定の圧力を掛けた状態で当接させることにより、骨折部５Ａと骨折部５Ｂを接合した状態で保持している。また、髄内釘６が大腿骨５内部で自由に動かないように、髄内釘６の一端に形成された鉤状部６Ｄが大腿骨５表面に引っ掛けられている。この様な髄内釘６は、患者の骨の形状に適合した長さ及び厚みのものが選択され、材質には例えばステンレス及びチタン等が用いられる。なお、髄内釘６は１個に限らず、骨内部に複数個挿入される場合もある。
【００２０】
次に、図４に示した骨折の治療に係る構造について説明する。骨折部７Ａと骨折部７Ｂからなる２つに骨折した大腿骨７を骨折前の位置関係を担保した状態で保持するために、骨折部７Ａ内部に略棒状部から形成された髄内釘８が挿入された状態で、該髄内釘８は２個のボルトであるスクリュー９Ａにより骨折部７Ａに固定され、且つ、骨折部７Ａ及び骨折部７Ｂは髄内釘８を貫通した２個のスクリュー９Ｂにより接合して固定されている。この様な髄内釘８は、患者の骨の形状に適合した長さ及び厚みのものが選択され、材質には例えばステンレス及びチタン等が用いられる。また、スクリュー９は、形状の異なるスクリュー９Ａ及びスクリュー９Ｂから成り、患者の骨の形状、及び、髄内釘８の仕様に適合した長さ及び厚みのものが選択され、材質には例えばチタン及びチタン合金等を用いて形成される。また、通常、スクリュー９は、ねじの全長にわたりねじ山が形成されている。なお、スクリュー９についても、第１の実施形態で前述した通り、医療部材再生品として用いることができる。
【００２１】
次に、図５に示した骨折の治療に係る構造について説明する。なお、図５に示した骨折の治療に係る構造は、図４に示した骨折の治療に係る構造の変形例である。骨折部１０Ａと骨折部１０Ｂからなる２つに骨折した大腿骨１０を骨折前の位置関係を担保した状態で保持するために、骨折部１０Ａ内部に略棒状部から形成された髄内釘１１が挿入された状態で、該髄内釘１１は２個のスクリュー１２により骨折部１０Ａに固定され、且つ、骨折部１０Ａ及び骨折部１０Ｂは髄内釘１１を貫通したねじ１３により接合して固定されている。この様な髄内釘１１は、患者の骨の形状に適合した長さ及び厚みのものが選択され、材質には例えばステンレス及びチタン等が用いられる。また、スクリュー１２及びねじ１３についても、患者の骨の形状、及び、髄内釘１１の仕様に適合した長さ及び厚みのものが選択され、材質には例えばチタン及びチタン合金等を用いて形成される。なお、スクリュー１２及びねじ１３についても、第１の実施形態で前述した通り、医療部材再生品として用いることができる。
【００２２】
次に、本発明に係るインプラントの髄内釘６、髄内釘８，及び髄内釘１１を加工して医療部材再生品にする構造について説明する。図６に本発明に係る髄内釘６、髄内釘８，及び髄内釘１１を加工して医療部材再生品にした一例の模式図を示す。
【００２３】
図３乃至図５を参照しながら説明した髄内釘６、髄内釘８、又は髄内釘１１を、旋盤等により加工することで医療部材再生品にする。具体的には、例えば、髄内釘６、髄内釘８、又は髄内釘１１を図示せぬフライス盤のバイスに固定した状態で、髄内釘６、髄内釘８、又は髄内釘１１に図示せぬ所定の回転数で回転させたフライスを当接させることにより、髄内釘６、髄内釘８、又は髄内釘１１をアクセサリー等として適当な例えば長さ３０ｍｍ、横幅１０ｍｍ、及び厚み５ｍｍに形成する。また、所定の形状に形成した髄内釘６、髄内釘８、又は髄内釘１１の一端に、ボール盤で例えば２ｍｍの貫通穴を開け、キーホルダ等として用いる時に支持部材３２を接続できるようにする。なお、支持部材３２には、紐、鎖、リング、及び固定台等を用いる。また、例えば、フライス盤で加工した髄内釘６、髄内釘８、又は髄内釘１１を図示せぬ研削盤のチャックに固定した状態で、髄内釘６、髄内釘８、又は髄内釘１１に所定の回転数で回転させた円筒形状の研削砥石を所定の圧力で当接させることにより、髄内釘６、髄内釘８、又は髄内釘１１の表面を平滑にする。上述した加工を髄内釘６、髄内釘８、又は髄内釘１１に施すことにより、アクセサリー等として日常生活に使用する場合において支障をきたさないサイズ及び形状にする。同様に、医療部材再生品にした髄内釘６、髄内釘８、又は髄内釘１１が人の手などに触れて裂傷したり、又は、日常品等に接触して引っ掻き傷等が付かないようにする。
【００２４】
また、上述した加工を施した髄内釘６、髄内釘８、又は髄内釘１１の表面に、所定の色彩を塗装したり、光沢又は反射防止を目的とした表面コート処理等を行っても良い。また、図１２に示す様に、加工を施した髄内釘６、髄内釘８、又は髄内釘１１の平面部等に、インプラントに係る手術日、抜去日、患者の氏名、及び執刀医の氏名等を、刻印機又はレーザマーカ等で記録しても良い。加工した医療部材再生品である髄内釘加工品１４は、図６に示す様に、例えば普段から身に付ける機会が多い複数の鍵１６を係留したリング１５に支持部材３２を接続することによりアクセサリーとする。
【００２５】
以上、第２の実施形態によれば、比較的大きいが加工し易い抜去したインプラントである髄内釘６、髄内釘８、又は髄内釘１１を髄内釘加工品１４に加工して、インプラントとして一時体内に装着していた患者本人が、アクセサリー等として身に付け、又は、置物として飾る。このようなことにより、患者本人が再度骨折等しないよう、過度な負荷を伴う動作を避けることを促すことができる。また、治療してくれた医師や医療器械に対して感謝の念を持つアシストになる。また、医療廃棄物として廃棄されていたインプラントを再生して活用することができる。さらに、骨折の再発を防止することにより医療費を抑制することもできる。
【００２６】
［第３の実施形態］
次に、本発明の第３の実施形態に係る医療部材再生品について説明する。なお、本実施形態においては、医療部材再生品にプレートを用いることに特徴を有し、それ以外の医療部材再生品に係る構成は、第１の実施形態で述べた医療部材再生品の構成と同様である。
【００２７】
医療部材であるインプラントのプレートを加工することにより医療部材再生品にする形態について説明する。まず、骨折した大腿骨にプレートを装着している状態について説明する。図７及び図８に骨折した大腿骨にプレートを装着している状態の一例を模式図で示す。
【００２８】
まず、図７に示した骨折の治療に係る構造について説明する。骨折部１７Ａと骨折部１７Ｂからなる２つに骨折した大腿骨１７を骨折前の位置関係を担保した状態で保持するために、大腿骨１７側面に略板状部から形成されたプレート１８が当接された状態で、骨折部１７Ａはプレート１８を貫通した３個のスクリュー１９でプレート１８と接合して固定され、且つ、骨折部１７Ｂはプレート１８を貫通した２個のスクリュー１９でプレート１８と接合して固定されている。この様なプレート１８は、患者の骨の形状に適合した長さ、厚み、及び貫通穴数のものが選択され、材質には例えばステンレス及びチタン等が用いられる。また、スクリュー１９は、患者の骨の形状及びプレート１８の仕様に適合した長さ及び厚みのものが選択され、材質には例えばチタン及びチタン合金等を用いて形成される。なお、スクリュー１９についても、第１の実施形態で前述した通り、医療部材再生品として用いることができる。
【００２９】
次に、図８に示した骨折の治療に係る構造について説明する。なお、図８に示した骨折の治療に係る構造は、図７に示した骨折の治療に係る構造の応用例である。骨折部２０Ａと骨折部２０Ｂからなる２つに骨折した大腿骨２０を骨折前の位置関係を担保した状態で保持するために、大腿骨２０側面に略板状部から形成されたプレート２１が当接された状態で、骨折部２０Ａはワッシャー２２Ａ及びプレート２１の本体部２１Ａを貫通した３個のスクリュー２２でプレート２１の本体部２１Ａと接合して固定され、且つ、骨折部２０Ｂは本体部２１Ａに接続したねじ部２１Ｂと接合して固定されている。この様なプレート２１は、患者の骨の形状に適合した長さ及び厚みのものが選択され、材質には例えばステンレス及びチタン等が用いられる。なお、スクリュー２２等についても、第１の実施形態で前述した通り、医療部材再生品として用いることができる。
【００３０】
次に、本発明に係るインプラントのプレート１８及びプレート２１を加工して医療部材再生品にする構造について説明する。図９に本発明に係るプレート１８及びプレート２１を加工して医療部材再生品にした一例の模式図を示す。
【００３１】
図７及び図８を参照しながら説明したプレート１８又はプレート２１を、旋盤等により加工することで医療部材再生品にする。なお、本実施形態に係る加工は第２の実施形態において前述した加工と同様である。具体的には、例えば、プレート１８又はプレート２１を図示せぬフライス盤のバイスに固定した状態で、プレート１８又はプレート２１に図示せぬ所定の回転数で回転させたフライスを当接させることにより、プレート１８又はプレート２１をアクセサリーとして適当な例えば長さ２０ｍｍ、横幅１０ｍｍ、及び厚み５ｍｍに形成する。所定の形状に形成したプレート１８又はプレート２１の一端に、ボール盤で例えば２ｍｍの貫通穴を開け、キーホルダ等として用いる時に支持部材３３を接続できるようにする。なお、支持部材３３には、紐、鎖、リング、及び固定台等を用いる。また、例えば、フライス盤で加工したプレート１８又はプレート２１を図示せぬ研削盤のチャックに固定した状態で、プレート１８又はプレート２１に所定の回転数で回転させた円筒形状の研削砥石を所定の圧力で当接させることにより、プレート１８又はプレート２１の表面を平滑にする。上述した加工をプレート１８又はプレート２１に施すことにより、アクセサリー等として日常生活に使用する場合において支障をきたさないサイズ及び形状にする。同様に、医療部材再生品にしたプレート１８又はプレート２１が人の手などに触れて裂傷したり、又は、日常品等に接触して引っ掻き傷等が付かないようにする。
【００３２】
また、上述した加工を施したプレート１８又はプレート２１の表面に、所定の色彩を塗装したり、光沢又は反射防止を目的とした表面コート処理等を行っても良い。また、図１２に示す様に、加工を施したプレート１８又はプレート２１の平面部等に、インプラントに係る手術日、抜去日、患者の氏名、及び執刀医の氏名等を、刻印機又はレーザマーカ等で記録しても良い。加工した医療部材再生品であるプレート加工品２３は、図９に示す様に、例えば普段から身に付ける機会が多い携帯電話２４に支持部材３３を接続することによりアクセサリーとする。
【００３３】
以上、第３の実施形態によれば、多数の穴形状を有し装飾効果に優れた抜去したインプラントであるプレート１８及びプレート２１をプレート加工品２３に加工して、インプラントとして一時体内に装着していた患者本人が、アクセサリー等として身に付け、又は、置物として飾る。このようなことにより、患者本人が再度骨折等しないよう、過度な負荷を伴う動作を避けることを促すことができる。また、治療してくれた医師や医療器械に対して感謝の念を持つアシストになる。また、医療廃棄物として廃棄されていたインプラントを再生して活用することができる。さらに、骨折の再発を防止することにより医療費を抑制することもできる。
【００３４】
［第４の実施形態］
次に、本発明の第４の実施形態に係る医療部材再生品について説明する。なお、本実施形態においては、医療部材再生品にワッシャーを用いることに特徴を有し、それ以外の医療部材再生品に係る構成は、第１の実施形態で述べた医療部材再生品の構成と同様である。
【００３５】
本発明に係るインプラントのワッシャー２２Ａを加工して医療部材再生品にする構造について説明する。図１０及び図１１に本発明に係るワッシャー２２Ａを加工して医療部材再生品にした一例の模式図を示す。
【００３６】
図８を参照しながら説明したワッシャー２２Ａを旋盤等により加工することで医療部材再生品にする。具体的には、ワッシャー２２Ａを図示せぬ研削盤のチャックに固定した状態で、ワッシャー２２Ａに所定の回転数で回転させた円筒形状の研削砥石を所定の圧力で当接させることにより、ワッシャー２２Ａの表面部及び外周部を平滑にする。上述した加工をワッシャー２２Ａに施すことにより、医療部材再生品にするワッシャー２２Ａが人の手及び胸部などに触れて裂傷したり、又は、日常品等に接触して引っ掻き傷等が付かないようにする。
【００３７】
また、上述した加工を施したワッシャー２２Ａの表面に、所定の色彩を塗装したり、光沢又は反射防止を目的とした表面コート処理等を行っても良い。また、図１２に示す様に、加工を施したワッシャー２２Ａの平面部等に、インプラントに係る手術日、抜去日、患者の氏名、及び執刀医の氏名等を、刻印機又はレーザマーカ等で記録しても良い。加工した医療部材再生品であるワッシャー加工品２５は、図１０に示す様に、例えば普段から身に付ける機会が多いネックレス等から成る支持部材３４を貫通させ、胸部２６を装飾するアクセサリーとする。同様に、加工した医療部材再生品であるワッシャー加工品２５は、図１１に示す様に、例えば普段から身に付ける機会が多いブレスレット等から成る支持部材３５を貫通させ、腕部２７を装飾するアクセサリーとする。
【００３８】
以上、第４の実施形態によれば、従来の装飾品の形状に類似し装飾効果に優れた抜去したインプラントであるワッシャー２２Ａをワッシャー加工品２５に加工して、インプラントとして一時体内に装着していた患者本人が、アクセサリー等として身に付け、又は、置物として飾る。このようなことにより、患者本人が再度骨折等しないよう、過度な負荷を伴う動作を避けることを促すことができる。また、治療してくれた医師や医療器械に対して感謝の念を持つアシストになる。また、医療廃棄物として廃棄されていたインプラントを再生して活用することができる。さらに、骨折の再発を防止することにより医療費を抑制することもできる。
【００３９】
［第５の実施形態］
次に、本発明の第５の実施形態に係る医療部材再生品について説明する。なお、本実施形態においては、医療部材再生品に創外固定器を用いることに特徴を有し、それ以外の医療部材再生品に係る構成は、第１の実施形態で述べた医療部材再生品の構成と同様である。
【００４０】
医療部材であるインプラントの創外固定器を医療部材再生品にする形態について説明する。まず、骨に創外固定器を装着している状態について説明する。図１３及び図１４に骨に創外固定器を装着している状態の一例を模式図で示す。
【００４１】
まず、図１３に示した骨折の治療に係る構造について説明する。脚部４０において骨折部４１Ａ、骨折部４１Ｂ、及び骨折部４１Ｃの３つに複雑骨折した骨４１を骨折前の位置関係を担保した状態で保持するために、創外固定器４２が用いられる。具体的には、創外固定器４２のベース部４２Ｂに配設された保持部４２Ｃに設けられた３つのスクリュー４２Ｅが骨折部４１Ａに接続され、且つ、創外固定器４２のベース部４２Ｂに配設された保持部４２Ｄに設けられた３つのスクリュー４２Ｅが骨折部４１Ｂに接続されている。当該状態で、固定部４２Ａが固定されることにより、ベース部４２Ｂにおいて保持部４２Ｃと保持部４２Ｄの位置が保たれている。この様な創外固定器４２は、患者の骨の形状や骨折の状態に応じた仕様が選択される。
【００４２】
次に、図１４に示した骨欠損の治療に係る構造について説明する。脚部４３において保存部４４Ａ、及び保存部４４Ｂからなる骨４４を欠損前の位置関係を担保した状態で保持するために、創外固定器４２が用いられる。なお、創外固定器４２は、骨腫瘍の除去手術により骨４４の一部を切除し、図示せぬ当該切除部を骨延長により補い、骨４４を自己再生させるためのものである。具体的には、創外固定器４２のベース部４２Ｂに配設された保持部４２Ｃに設けられた３つのスクリュー４２Ｅが保存部４４Ａに接続され、且つ、創外固定器４２のベース部４２Ｂに配設された保持部４２Ｄに設けられた３つのスクリュー４２Ｅが保存部４４Ｂに接続されている。当該状態で、固定部４２Ａが固定されることにより、ベース部４２Ｂにおいて保持部４２Ｃと保持部４２Ｄの位置が保たれている。この様な創外固定器４２は、患者の骨の形状や骨欠損の状態に応じた仕様が選択される。
【００４３】
次に、本発明に係るインプラントの創外固定器４２を医療部材再生品にする構造について説明する。図１５に本発明に係る創外固定器４２を加工して医療部材再生品にした一例の模式図を示す。
【００４４】
図１３及び図１４を参照しながら説明した創外固定器４２を台４５を用いて医療部材再生品に形成する。具体的には、例えば板状部からなるベース部４５Ａの両側にそれぞれ配設された保持部４５Ｂに例えば患者の脚部４０を模した透明色のプラスチックで形成した脚部４５Ｄを接続する。当該脚部４５Ｄの内部には例えば患者の骨４１を模した灰色のプラスチックで形成した骨４５Ｅを埋設する。さらに、創外固定器４２を、患者が受けた手術内容に基づいて、脚部４５Ｄ及び骨４５Ｅに固定する。なお、グロテスクにならないように、脚部４５Ｄは患者の脚部４０を忠実に模す必要は無く、例えば流線型の板状部で形成しても良い。また、保持部４５Ｂの個数や位置は特に限定するものでは無い。また、ベース部４５Ａの形状は、板状部に限定されることは無く、例えば円筒形状部及び楕円形状部で形成しても良い。また、ベース部４５Ａ上の表示部４５Ｃには、インプラントに係る手術日、抜去日、患者の氏名、及び執刀医の氏名等を、刻印機又はレーザマーカ等で記録しても良い。上述した加工を施すことにより、創外固定器４２を置物等として日常生活に用いる場合において支障をきたさない形態にする。
【００４５】
以上、第５の実施形態によれば、インプラントである創外固定器４２を置物等に加工して室内等に飾る。このようなことにより、患者本人が再度骨折等しないよう、過度な負荷を伴う動作を避けることを促すことができる。又は、癌が再発しないよう食事内容や禁煙等に注意を促すことができる。また、治療してくれた医師や医療器械に対して感謝の念を持つアシストになる。また、医療廃棄物として廃棄されていたインプラントを再生して活用することができる。さらに、骨折の再発を防止することにより医療費を抑制することもできる。
【００４６】
［第６の実施形態］
次に、本発明の第６の実施形態に係る医療部材再生品について説明する。なお、本実施形態においては、医療部材再生品に人工骨頭を用いることに特徴を有し、それ以外の医療部材再生品に係る構成は、第１の実施形態で述べた医療部材再生品の構成と同様である。
【００４７】
医療部材であるインプラントの人工骨頭を加工することにより医療部材再生品にする形態について説明する。まず、骨に人工骨頭を装着している状態について説明する。図１６に骨に人工骨頭を装着している状態の一例を模式図で示す。
【００４８】
まず、図１６に示した関節内骨折の治療に係る構造について説明する。骨４６に人工骨頭ユニット４７が装着されている。具体的には本体部４７Ａが骨４６に埋設され、当該本体部４７Ａの一端部に接続された骨頭ベース部４７Ｂを覆う様に骨頭部４７Ｃが接続されている。また、骨頭部４７Ｃは骨頭ベース部４７Ｂに対して回動可能である。なお、骨頭部４７Ｃが図示せぬ骨に挿入されて固定される。この様な人工骨頭ユニット４７は、患者の骨の形状や関節の状態に応じた仕様が選択される。
【００４９】
次に、本発明に係る人工骨頭ユニット４７を加工して医療部材再生品にする構造について説明する。図１７に本発明に係る人工骨頭ユニット４７を加工して医療部材再生品にした一例の模式図を示す。
【００５０】
図１６を参照しながら説明した人工骨頭ユニット４７を、台４８を用いて医療部材再生品に形成する。具体的には、例えば円筒形状部からなるベース部４８Ａに配設された保持部４８Ｂに、例えば患者の骨４６を模した透明色のプラスチックで形成した骨４８Ｄを接続する。さらに、例えば患者が装着している人工骨頭ユニット４７を模した灰色のプラスチックで形成した人工骨頭ユニット部４８Ｅを、患者が受けた手術内容に基づいて、骨４８Ｄに挿入して固定する。また、保持部４８Ｂの個数や位置は特に限定するものでは無い。また、ベース部４８Ａの形状は、円筒形状部に限定されることは無く、例えば板状部及び楕円形状部で形成しても良い。また、ベース部４８Ａ上の表示部４８Ｃには、インプラントに係る手術日、抜去日、患者の氏名、及び執刀医の氏名等を、刻印機又はレーザマーカ等で記録しても良い。上述した加工を施すことにより、人工骨頭ユニット４７を模した置物等を日常生活に用いる場合において支障をきたさない形態にする。
【００５１】
以上、第６の実施形態によれば、インプラントである人工骨頭ユニット４７を置物等に加工して室内等に飾る。このようなことにより、患者本人が再度骨折又は脱臼等しないよう、過度な負荷を伴う動作を避けることを促すことができる。また、治療してくれた医師や医療器械に対して感謝の念を持つアシストになる。さらに、骨折又は脱臼等の再発を防止することにより医療費を抑制することもできる。
【００５２】
なお、上述した第１乃至第６の実施形態においては、医療部材であるインプラントをそれぞれ、ねじ、髄内釘、プレート、ワッシャー、創外固定器、又は人工骨頭として説明したが、該インプラントは、治療のために患者の体内に埋設又は装着等するものであれば良く、上述したねじ、髄内釘、プレート、ワッシャー、創外固定器、又は人工骨頭に限定されるものではない。
【図面の簡単な説明】
【００５３】
【図１】骨折した海綿骨に海綿骨ねじを装着している状態の一例を示す模式図である。
【図２】本発明の第１の実施形態の医療部材再生品である海綿骨ねじに係る加工品の一例を示す模式図である。
【図３】骨折した大腿骨に髄内釘を装着している状態の一例を示す模式図である。
【図４】骨折した大腿骨に髄内釘を装着している状態の一例を示す模式図である。
【図５】骨折した大腿骨に髄内釘を装着している状態の一例を示す模式図である。
【図６】本発明の第２の実施形態の医療部材再生品である髄内釘に係る加工品の一例を示す模式図である。
【図７】骨折した大腿骨にプレートを装着している状態の一例を示す模式図である。
【図８】骨折した大腿骨にプレートを装着している状態の一例を示す模式図である。
【図９】本発明の第３の実施形態の医療部材再生品であるプレートに係る加工品の一例を示す模式図である。
【図１０】本発明の第４の実施形態の医療部材再生品であるワッシャーに係る加工品の一例を示す模式図である。
【図１１】本発明の第４の実施形態の医療部材再生品であるワッシャーに係る加工品の一例を示す模式図である。
【図１２】本発明の第１乃至第４の実施形態に係る医療部材再生品の表面に刻印した一例を示す模式図である。
【図１３】骨折した骨に創外固定器を装着している状態の一例を示す模式図である。
【図１４】手術により一部を切除した骨に創外固定器を装着している状態の一例を示す模式図である。
【図１５】本発明の第５の実施形態の医療部材再生品である創外固定器に係る加工品の一例を示す模式図である。
【図１６】骨に人工骨頭ユニットを配設している状態の一例を示す模式図である。
【図１７】本発明の第６の実施形態の医療部材再生品である人工骨頭に係る加工品の一例を示す模式図である。
【符号の説明】
【００５４】
１  海綿骨
１Ａ  骨折部
１Ｂ  骨折部
２  海綿骨ねじ
２Ａ  ねじ山部
２Ｂ  ねじ頭部
３  海綿骨ねじ加工品
４  鍵
５  大腿骨
５Ａ  骨折部
５Ｂ  骨折部
６  髄内釘
６Ａ  端部
６Ｂ  端部
６Ｃ  中央部
６Ｄ  鉤状部
７  大腿骨
７Ａ  骨折部
７Ｂ  骨折部
８  髄内釘
９  スクリュー
９Ａ  スクリュー
９Ｂ  スクリュー
１０  大腿骨
１０Ａ  骨折部
１０Ｂ  骨折部
１１  髄内釘
１２  スクリュー
１３  ねじ
１４  髄内釘加工品
１５  リング
１６  鍵
１７  大腿骨
１７Ａ  骨折部
１７Ｂ  骨折部
１８  プレート
１９  スクリュー
２０  大腿骨
２０Ａ  骨折部
２０Ｂ  骨折部
２１  プレート
２１Ａ  本体部
２１Ｂ  ねじ部
２２  スクリュー
２３  プレート加工品
２４  携帯電話
２５  ワッシャー加工品
２６  胸部
２７  腕部
３１，３２，３３，３４，３５  支持部材
４０  脚部
４１  骨
４１Ａ  骨折部
４１Ｂ  骨折部
４１Ｃ  骨折部
４２  創外固定器
４２Ａ  固定部
４２Ｂ  ベース部
４２Ｃ  保持部
４２Ｄ  保持部
４２Ｅ  スクリュー
４３  脚部
４４  骨
４４Ａ  保存部
４４Ｂ  保存部
４５  台
４５Ａ  ベース部
４５Ｂ  保持部
４５Ｃ  表示部
４５Ｄ  脚部
４５Ｅ  骨
４６  骨
４７  人工骨頭ユニット
４７Ａ  本体部
４７Ｂ  骨頭ベース部
４７Ｃ  骨頭部
４８  台
４８Ａ  ベース部
４８Ｂ  保持部
４８Ｃ  表示部
４８Ｄ  骨
４８Ｅ  人工骨頭ユニット部
【図１】
2010063611.tif 000003
【図２】
2010063611.tif 000004
【図３】
2010063611.tif 000005
【図４】
2010063611.tif 000006
【図５】
2010063611.tif 000007
【図６】
2010063611.tif 000008
【図７】
2010063611.tif 000009
【図８】
2010063611.tif 000010
【図９】
2010063611.tif 000011
【図１０】
2010063611.tif 000012
【図１１】
2010063611.tif 000013
【図１２】
2010063611.tif 000014
【図１３】
2010063611.tif 000015
【図１４】
2010063611.tif 000016
【図１５】
2010063611.tif 000017
【図１６】
2010063611.tif 000018
【図１７】
2010063611.tif 000019